(57)【要約】【課題】ＦＰＣの絶縁ハウジングからの抜けが防止でき、導電端子とＦＰＣとの間の接続が安定して行われるＦＰＣ用電気コネクタを提供する。【解決手段】本考案のＦＰＣ用電気コネクタは、ＦＰＣを挿入するための挿入口が設けられている絶縁ハウジングと、上延出アーム及び下延出アームとを有し、上延出アームと下延出アームとの間の空間が前記挿入口に連通することにより、ＦＰＣを収容するための収容空間が形成されている複数の導電端子と、前記絶縁ハウジングに対する開放状態と閉鎖状態との間で回転可能な、前記導電端子の上下延出アームの間に位置する押え壁を有すアクチュエータとを含む。前記アクチュエータにはＦＰＣに設けられる係止切欠きに係合される突部が設けられている。【選択図】図３
0003124245.tif 000002
【実用新案登録請求の範囲】
【請求項１】
ＦＰＣを挿入するための挿入口が設けられる前壁と、該前壁に対向し、複数の端子溝が設けられる後壁と、を有する絶縁ハウジングと、
前記絶縁ハウジングの端子溝に装着され、二股状となって前方に延出した上延出アーム及び下延出アームを有し、上延出アームと下延出アームとの間の空間が前記挿入口に連通することにより、ＦＰＣを収容するための収容空間が形成される複数の導電端子と、
前記絶縁ハウジングに対する開放状態と閉鎖状態との間で回転可能な、前記導電端子の上下延出アームの間に位置する押え壁を有するアクチュエータと
を含むＦＰＣを接続することに用いられるＦＰＣ用電気コネクタにおいて、
前記アクチュエータが開放状態において、前記押え壁により前記導電端子の上延出アームを上げさせると、前記上下延出アームにそれぞれ形成される接触部の間の距離はＦＰＣの厚さより大きくなり、ＦＰＣを挿入力なしで前記収容空間に挿入させ、
前記アクチュエータが閉鎖状態において、前記上下延出アームの接触部の間の距離はＦＰＣの厚さより小さくなり、ＦＰＣを挟んでＦＰＣと導電端子との間の電気的な接続が達成でき、
前記アクチュエータにはＦＰＣに設けられる係止切欠きに係合される突部が設けられていることを特徴とするＦＰＣ用電気コネクタ。
【請求項２】
前記絶縁ハウジングは、前記端子溝に連通する凹溝が設けられる頂壁を有し、前記アクチュエータが閉鎖状態において、該アクチュエータが前記凹溝に収容されること特徴とする、請求項１に記載のＦＰＣ用電気コネクタ。
【請求項３】
ＦＰＣ用電気コネクタは、前記絶縁ハウジングの凹溝の両側にそれぞれ形成されるスロットに組付けられる固持部材を含み、前記アクチュエータには前記絶縁ハウジングのスロットに収容される軸部が設けられていること特徴とする、請求項２に記載のＦＰＣ用電気コネクタ。
【請求項４】
前記固持部材には、開口と、開口の両側にそれぞれ位置する第１突起と第２突起とを含み、前記絶縁ハウジングのスロットには、凸部が上向きに突設して形成され、前記アクチュエータの軸部が前記固持部材の第１突部と前記絶縁ハウジングの凸部との間の空間に回転可能に収容できることを特徴とする、請求項３に記載のＦＰＣ用電気コネクタ。
【請求項５】
前記アクチュエータには、閉鎖状態において、前記絶縁ハウジングに係合できる係止部が外方への向きに突出して形成されていることを特徴とする、請求項１に記載のＦＰＣ用電気コネクタ。
【考案の詳細な説明】
【技術分野】
【０００１】
本考案は、ＦＰＣ、ＦＦＣ等と一般に呼ばれている平型柔軟ケーブル（この明細書では、これらを総称して単に「ＦＰＣ」という）をプリント基板に接続するために用いられるＦＰＣ用電気コネクタに関するものである。
【背景技術】
【０００２】
従来技術のＦＰＣ用電気コネクタの一例として、特許文献１と特許文献２に開示されたＦＰＣ用電気コネクタが知られ、このＦＰＣ用電気コネクタは、絶縁ハウジングと、該絶縁ハウジング内に収容される複数の導電端子と、絶縁ハウジングに対して開放状態と閉鎖状態との間で回転可能なアクチュエータと、を含む。前記絶縁ハウジングは、先端にＦＰＣを挿入するための挿入口が形成され、後端に導電端子を対応し収容するための端子溝が形成される。各導電端子は、二股状となって前方に延出した上下一対の延出アームを有し、上下一対の延出アームの間に前記挿入口に連通し、ＦＰＣを収容するための収容空間が形成される。一対の延出アームに、対向した接触部がそれぞれ設けられ、上延出アームの接触部から上向きに水平に延在する枢支部が形成される。アクチュエータに導電端子の枢支部に対応するカム部が設けられる。前記アクチュエータが開放状態において、ＦＰＣが前記収容空間に挿入され、アクチュエータが閉鎖状態において、アクチュエータが下向きにＦＰＣを押圧することにより、ＦＰＣと導電端子との間に電気的な接続を達成している。
【特許文献１】特開平１０−２１４６６１号公報
【特許文献２】米国特許第５１７３０５８号明細書
【考案の開示】
【考案が解決しようとする課題】
【０００３】
前記アクチュエータが開放状態において、アクチュエータのカム部により導電端子の上延出アームが上げられることで、上下一対の延出アームの間の距離は大きくなり、これによりＦＰＣが挿入力なしで収容空間に挿入できる。アクチュエータが閉鎖状態において、上延出アームが元状態に戻ることにより、ＦＰＣを挟むように上下一対の延出アームの間の距離は小さくなっている。しかしながら、該ＦＰＣ用電気コネクタは、導電端子の上下延出アームの接触部だけによりＦＰＣを挟んで、導電端子の上下延出アームの接触部のＦＰＣを挟む作用力が小さく、且つ接触部とＦＰＣの導電接点との間の摩擦力も小さく、従って、ＦＰＣが収容空間から抜ける恐れがあった。そこで、上述した欠点に鑑みて、新型ＦＰＣ用電気コネクタを開発することが必要である。
【０００４】
本考案は、ＦＰＣの絶縁ハウジングからの抜けが防止でき、導電端子とＦＰＣとの間の接続が安定して行われるＦＰＣ用電気コネクタを提供することを目的とする。
【課題を解決するための手段】
【０００５】
本考案は前記の目的を達成するために、以下の構成を有する。該ＦＰＣ用電気コネクタは、ＦＰＣを挿入するための挿入口が設けられる前壁と、該前壁に対向し、複数の端子溝が設けられる後壁と、を有する絶縁ハウジングと、前記絶縁ハウジングの端子溝に装着され、二股状となって前方に延出した上延出アーム及び下延出アームを有し、上延出アームと下延出アームとの間の空間が前記挿入口に連通することにより、ＦＰＣを収容するための収容空間が形成されている複数の導電端子と、前記絶縁ハウジングに対する開放状態と閉鎖状態との間で回転可能な、前記導電端子の上下延出アームの間に位置する押え壁を有すアクチュエータとを含む。前記アクチュエータが開放状態において、前記押え壁により前記導電端子の上延出アームを上げさせると、前記上下延出アームにそれぞれ形成される接触部の間の距離はＦＰＣの厚さより大きくなり、ＦＰＣを挿入力なしで前記収容空間に挿入させ、前記アクチュエータが閉鎖状態において、前記上下延出アームの接触部の間の距離はＦＰＣの厚さより小さくなり、ＦＰＣを挟んでＦＰＣと導電端子との間の電気的な接続が達成でき、前記アクチュエータにはＦＰＣに設けられる係止切欠きに係合される突部が設けられている。
【考案の効果】
【０００６】
従来の技術に比較して、本考案は以下の効果を有する。アクチュエータには、突部が設けられ、該突部がＦＰＣに設けられる係止切欠きに係合されることにより、ＦＰＣの絶縁ハウジングからの抜けが防止できる。また、アクチュエータが閉鎖状態において、導電端子の上下延出アームの接触部の間の距離はＦＰＣの厚さより小さくなり、ＦＰＣを挟んでＦＰＣと導電端子との間の電気的な接続が安定して行われる。
【考案を実施するための最良の形態】
【０００７】
図１〜図６を参照して、本考案の実施の形態に係るＦＰＣ用電気コネクタ１００について説明する。このＦＰＣ用電気コネクタ１００は、ＦＰＣと回路基板とを接続するのに用いられ、絶縁ハウジング１０と、複数の導電端子２０と、絶縁ハウジング１０に対して回転可能なアクチュエータ３０と、アクチュエータ３０を絶縁ハウジング１０に固持するための一対の固持部材４０と、を含む。
【０００８】
図２と図３を参照して、絶縁ハウジング１０は、頂壁１１０、該頂壁１１０に対向した底壁１２０と、頂壁１１０に垂直な前壁１３０と、前壁１３０に対向した後壁１４０と、を含む。頂壁１１０には凹溝１１１と、凹溝１１１の両側にそれぞれ配置される溝状のスロット１１２とが設けられ、凹溝１１１とスロット１１２との先端は連通している。前壁１３０には挿入口１３１が形成され、後壁１４０には前記凹溝１１１に連通する複数の端子溝１４１が設けられる。
【０００９】
図２と図４を参照して、導電端子２０は、金属部材からなり、絶縁ハウジング１０の端子溝１４１に装着される。各導電端子２０は、二股状となって前方に延出した上延出アーム２１と、上延出アーム２１に対向した下延出アーム２２と、回路基板（図示せず）に接続するように後方に延出したテール部２３と、を有する。上延出アーム２１と下延出アーム２２との間の空間が前記挿入口１３１に連通し、ＦＰＣ（図示せず）を収容するための収容空間が形成されている。
【００１０】
前記上延出アーム２１は凹溝１１１内に装着され、収容空間へ突出して形成されている接触部２１０と、該接触部２１０から下向き水平に延出して形成されている枢支部２１１と、を含み、該上延出アーム２１は片持ち梁であることで、弾性変形ができる。下延出アーム２２は、前記接触部２１０に対向した接触部２２０を有し、且つ該下延出アーム２２は絶縁ハウジング１０の端子溝１４１に貼り付けられるので、弾性変形をしない。
【００１１】
図２と図３を参照して、前記アクチュエータ３０は絶縁ハウジング１０に対して開放状態と閉鎖状態との間で回転可能であり、開放状態においてＦＰＣが挿入力なしで収容空間に挿入でき、閉鎖状態において該アクチュエータ３０が絶縁ハウジング１０の凹溝１１１内に収容され、これによりＦＰＣ用電気コネクタの整体高さが減少される。アクチュエータ３０には導電端子２０の上延出アーム２１の先端を収容するための収容溝３１が設けられ、収容溝３１の先端に上延出アーム２１の枢支部２１１に対応した押え壁３１０が形成されている。
【００１２】
該アクチュエータ３０は、先端の両側部壁からそれぞれ形成する突部３１１と、突部３１１から外方へ延出する軸部３１２と、後端の両側部壁から突設する係止部３１３と、を備えている。また、アクチュエータがＦＰＣに係止する作用を果たす係止切欠き（図示せず）が形成されている。アクチュエータが閉鎖状態において、突部３１１がＦＰＣの係止切欠きに係合することにより、ＦＰＣの収容空間からの抜けが防止できる。該アクチュエータ３０は、係止部３１３が絶縁ハウジング１０に係合されることにより、絶縁ハウジング１０に支持される。また、アクチュエータ３０の後端には、閉鎖状態において導電端子２０の上延出アーム２１を収容する溝部３１５が形成され、これにより該ＦＰＣ用電気コネクタ１００の高さが減少される。
【００１３】
図２を参照して、前記一対の固持部材４０は、絶縁ハウジング１０のスロット１１２内に干渉し係合され、各固持部材４０は、中央に形成される開口４１０と、開口４１０の側部に形成される第１突起４１１と、第２突起４１２と、を含む。
【００１４】
図１、図２と図５を参照して、ＦＰＣ用電気コネクタ１００の取付け際に、まず、導電端子２０が絶縁ハウジング１０の後端から端子溝１４１内に装着され、アクチュエータ３０が絶縁ハウジング１０の先端から組み付けられ、前記軸部３１２は、絶縁ハウジング１０のスロット１１２内に収容され且つスロット１１２から上向きに突出するような凸部１１３に当接される。最後に、固持部材４０が上方からスロット１１２に組付けられ、第１突起４１１が絶縁ハウジング１０のスロット１１２の先端に位置される。取付けた後に、前記軸部３１２が絶縁ハウジング１０の凸部１１３と固持部材４０の第１突起４１１との間に回転可能に収容され、これにより、アクチュエータ３０が絶縁ハウジング１０から外れることを防止できる。
【００１５】
図４乃至図６を参照して、アクチュエータ３０が開放状態において、導電端子２０の上延出アーム２１は、アクチュエータ３０の押え壁３１０により上向きに上げられ、弾性変形により上側に偏移し、この上延出アーム２１の上方への偏移により、上下延出アーム２１、２２の接触部２１０、２２０の間の距離がＦＰＣの厚さより大きくなるので、ＦＰＣが挿入力なしで絶縁ハウジング１０の収容空間に挿入される。次に、軸部３１２を回転中心として、アクチュエータ３０を閉鎖状態へ回転させ、上延出アーム２１が自身の弾性により元の状態に戻り、ＦＰＣを挟むように上下一対の接触部２１０、２２０の間の距離は小さくなり、こうして導電端子３０とＦＰＣとの間の電気的な接続が達成できる。
【００１６】
こうして、本考案のＦＰＣ用電気コネクタ１００は、導電端子３０の接触部２１０、２２０がＦＰＣを挟むだけでなく、アクチュエータ３０の突部３１１がＦＰＣの係止切欠きに係合されることにより、ＦＰＣの絶縁ハウジング１０の収容空間からの抜けが防止できる。
【００１７】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【図面の簡単な説明】
【００１８】
【図１】本考案に係るＦＰＣ用電気コネクタの組合わせ斜視図である。
【図２】ＦＰＣ用電気コネクタの分解斜視図である。
【図３】本考案に係るＦＰＣ用電気コネクタのほかの角度から見た分解斜視図である。
【図４】図１に示すＦＰＣ用電気コネクタのＡ-Ａ線で切断した断面図である。
【図５】図１に示すＦＰＣ用電気コネクタのＢ-Ｂ線で切断した断面図である。
【図６】図４に示すＦＰＣ用電気コネクタのアクチュエータが開放状態に位置する断面図である。
【符号の説明】
【００１９】
１０  絶縁ハウジング
１１０  頂壁
１１１  凹溝
１１２  スロット
１１３  凸部
１２０  底壁
１３０  前壁
１３１  挿入口
１４０  後壁
１４１  端子溝
２０  導電端子
２１  上延出アーム
２２  下延出アーム
２３  テール部
２１０、２２０  接触部
２１１  枢支部
３０  アクチュエータ
３１  収容溝
３１０  押え壁
３１１  突部
３１２  軸部
３１３  係止部
３１５  溝部
４０  固持部材
４１０  開口
４１１  第１突起
４１２  第２突起
１００  ＦＰＣ用電気コネクタ
【図１】
0003124245.tif 000003
【図２】
0003124245.tif 000004
【図３】
0003124245.tif 000005
【図４】
0003124245.tif 000006
【図５】
0003124245.tif 000007
【図６】
0003124245.tif 000008